(57)【特許請求の範囲】
【請求項１】
左右１対の側部の前後縁を前壁と後壁により連結してなる箱状の製氷部ケースと、この製氷部ケースの下端部に取り付けた製氷水タンクと、前記製氷部ケース内の下部に取り付けられ製氷用水を上方に噴出する複数のノズルを有する散水器と、前記製氷部ケース内の上部に取り付けられ下向きに開口されて前記散水器から上方に噴出される製氷用水を受ける複数の製氷セルを備えるとともに冷却パイプにより冷却される製氷室を備えてなるオープンセルタイプ自動製氷機において、前記製氷水タンクの両側部を、前記製氷部ケースの前記左右１対の側部に前後方向に沿って内向きに延びる下フランジとその多少上方でそれと平行に延びる支持棚板よりなる１対の細長いタンク支持溝内に挿入離脱可能に案内支持させたことを特徴とするオープンセルタイプ自動製氷機。
【請求項２】
前記製氷部ケースと製氷水タンクのいずれか一方に設けられ、前記製氷水タンクが前記製氷部ケースに対し所定位置まで挿入された状態において、前記製氷部ケースと製氷水タンクの他方の一部と離脱可能に係合して前記製氷水タンクを前記所定位置に係止するラッチ機構を備えてなる請求項１に記載のオープンセルタイプ自動製氷機。
【請求項３】
左右１対の側部の前後縁を前壁と後壁により連結してなる箱状の製氷部ケースと、この製氷部ケースの下端部に取り付けた製氷水タンクと、前記製氷部ケース内の下部に取り付けられ製氷用水を上方に噴出する複数のノズルを有する散水器と、前記製氷部ケース内の上部に取り付けられ下向きに開口されて前記散水器から上方に噴出される製氷用水を受ける複数の製氷セルを備えるとともに冷却パイプにより冷却される製氷室を備えてなるオープンセルタイプ自動製氷機において、前記散水器は前記製氷部ケースの前記左右１対の側部の前記製氷水タンクより上側に挿入離脱可能に案内支持させたことを特徴とするオープンセルタイプ自動製氷機。
【請求項４】
前記散水器の両側部を、前記製氷部ケースの左右１対の側部に前後方向に沿って互いに内向きに形成した１対の細長い支持棚板上に摺動可能に案内支持させたことを特徴とする請求項３に記載のオープンセルタイプ自動製氷機。
【請求項５】
前記散水器の両側部を、前記製氷部ケースの左右１対の側部に前後方向に沿って互いに内向きに形成した１対の細長い散水器支持溝内に摺動可能に案内支持させたことを特徴とする請求項３に記載のオープンセルタイプ自動製氷機。
【請求項６】
前記製氷部ケースと製氷水タンクのいずれか一方に設けられて前記製氷水タンクが前記製氷部ケースに対し所定位置まで挿入された状態において前記製氷部ケースと製氷水タンクとを離脱可能に互いに係合して前記製氷水タンクを前記所定位置に係止するラッチ機構と、前記製氷部ケースに設けられ前記散水器の後端部に当接して同散水器がその設定位置より後方に移動するのを阻止するストッパと、前記製氷水タンクに設けられ同製氷水タンクが前記ラッチ機構により前記所定位置に係止された状態において前記散水器の前端部に当接して同散水器がその設定位置より前方に移動するのを阻止する押さえ部材を備えたことを特徴とする請求項３〜請求項５のいずれか１項に記載のオープンセルタイプ自動製氷機。
【発明の詳細な説明】
【０００１】
【発明の属する技術分野】
本発明は、オープンセルタイプ自動製氷機に関する。
【０００２】
【従来の技術】
オープンセルタイプ自動製氷機は、例えば図１２および図１３に示すように、左右１対の側壁１ａの前後縁を後壁１ｂと前壁１ｃにより連結してなる箱状の製氷部ケース１の下端部に製氷水タンク２を取り付け、製氷部ケース１内の下部に製氷用水を上方に噴出する複数のノズル３ａを有する散水器３を設け、製氷部ケース１内の上部に下向きに開口された複数の製氷セル４ｂを有する製氷室４を設けたものであり、製氷セル４ｂ下側の開口は製氷中にも閉じられることはない。また製氷部ケース１の中間部には傾斜した氷シュート６を設け、その低い側に設けたシャッタ７は、通常は重力により垂れ下がって閉じられている。
【０００３】
製氷室４の製氷基板４ａの上側に蛇行して密着された冷却パイプ５には、圧縮機１１と、冷却ファン１３により冷却される凝縮器１２と、脱水器１４と、膨張弁１５よりなる冷凍機からの冷却された冷媒が冷媒管１０を介して循環供給され、また凝縮器１２，脱水器１４および膨張弁１５と並列にホットガス弁１６が設けられている。ホットガス弁１６を閉じた状態で冷凍機を運転させれば製氷室４は冷却され、また膨張弁１５を閉じてホットガス弁１６を開けば気化した冷媒は圧縮機１１により圧縮されて温度が上昇したホットガスとなって冷却パイプ５に送られる。
【０００４】
製氷水タンク２内の製氷用水Ｗはポンプ（図示省略）により散水器３に供給されて各ノズル３ａから真上に向けて噴出され、簀の子状の氷シュート６の隙間を通って冷凍機により冷却された各製氷セル４ｂの内面に当てられて一部はその内面に氷結され、残りは重力により製氷水タンク２内に戻される。時間の経過につれて各製氷セル４ｂ内に氷結される氷は次第に多くなり、製氷セル４ｂ内がこの氷によりほゞ充満されたところでホットガスを送れば製氷室４は加熱されて各製氷セル４ｂとその内部の氷との境界部が融解するので、各製氷セル４ｂ内の氷はブロック状となって氷シュート６上に落下して斜め下方に滑り、シャッタ７を押し開いて製氷部ケース１内から貯氷庫（図示省略）に送り出される。
【０００５】
このような従来のオープンセルタイプ自動製氷機では、製氷部ケース１は一体成形品であり、製氷水タンク２はその両側上部に形成したフランジ部２ａを各側壁１ａの下縁両側に形成したフランジ部１ｄの下面に当接してつまみを有する取付ねじ２ｂにより固定し、散水器３はその両側に上向きに形成した各フランジ部３ｂを各側壁１ａの内面に当接して同様な取付ねじ３ｃにより固定し、また氷シュート６もその両側に上向きに形成した各フランジ部６ａを各側壁１ａの内面に当接して同様な取付ねじ６ｂにより固定していた。
【０００６】
【発明が解決しようとする課題】
この種の製氷機で製造される氷は食品であるので、製氷機の内部は常に衛生的に保つ必要がある。使用する地域によっては水道水にはシリカやカルシウムなどの不純物が含まれ、これらは製氷水タンクや散水器などの製氷部の各部品に付着し時間の経過により固形化するが、これも衛生的に好ましくなく、また散水器の場合はノズルがつまって製氷ができなくなるという問題も生じる。これらの部品を衛生的に保ち、また散水器のノズルのつまりをなくすには製氷部ケースから取り外して洗浄する必要があるが、上述のように従来のこれらの部品は製氷部ケースにねじ止め固着しているので取り外しが面倒で手間がかかり、特に錆を生じたりすると取付ねじがかたくなって、たとえつまみ付きの取付ねじであっても工具なしには取り外せなくなるという問題がある。また取り付けの際にも各部品のフランジ部の孔を製氷部ケース１のねじ孔に合わせて取付ねじをねじ込まなければならないので面倒で手間がかかるという問題もある。本発明はこのような各問題を解決してオープンセルタイプ自動製氷機の製氷水タンクおよび散水器の洗浄を容易にすることを目的とする。
【０００７】
【課題を解決するための手段】
本発明によるオープンセルタイプ自動製氷機は、左右１対の側部の前後縁を前壁と後壁により連結してなる箱状の製氷部ケースと、この製氷部ケースの下端部に取り付けた製氷水タンクと、製氷部ケース内の下部に取り付けられ製氷用水を上方に噴出する複数のノズルを有する散水器と、製氷部ケース内の上部に取り付けられ下向きに開口されて散水器から上方に噴出される製氷用水を受ける複数の製氷セルを備えるとともに冷却パイプにより冷却される製氷室を備えてなるオープンセルタイプ自動製氷機において、製氷水タンクの両側部を、製氷部ケースの左右１対の側部に前後方向に沿って内向きに延びる下フランジとその多少上方でそれと平行に延びる支持棚板よりなる１対の細長いタンク支持溝内に挿入離脱可能に案内支持させたことを特徴とするものである。
【００１０】
請求項１の発明は、製氷部ケースと製氷水タンクのいずれか一方に設けられ、製氷水タンクが製氷部ケースに対し所定位置まで挿入された状態において、製氷部ケースと製氷水タンクの他方の一部と離脱可能に係合して製氷水タンクを所定位置に係止するラッチ機構を備えたものとすることが好ましい。
【００１１】
また本発明によるオープンセルタイプ自動製氷機は、左右１対の側部の前後縁を前壁と後壁により連結してなる箱状の製氷部ケースと、この製氷部ケースの下端部に取り付けた製氷水タンクと、製氷部ケース内の下部に取り付けられ製氷用水を上方に噴出する複数のノズルを有する散水器と、製氷部ケース内の上部に取り付けられ下向きに開口されて散水器から上方に噴出される製氷用水を受ける複数の製氷セルを備えるとともに冷却パイプにより冷却される製氷室を備えてなるオープンセルタイプ自動製氷機において、散水器は製氷部ケースの左右１対の側部の製氷水タンクより上側に挿入離脱可能に案内支持させたことを特徴とするものである。
【００１２】
前項の発明は、散水器の両側部を製氷部ケースの左右１対の側部に前後方向に沿って互いに内向きに形成した１対の細長い支持棚板上に摺動可能に案内支持させることが好ましい。
【００１３】
前々項の発明は、散水器の両側部を製氷部ケースの左右１対の側部に前後方向に沿って互いに内向きに形成した１対の細長い散水器支持溝内に摺動可能に案内支持させることが好ましい。
【００１４】
前３項の発明は、製氷部ケースと製氷水タンクのいずれか一方に設けられて製氷水タンクが製氷部ケースに対し所定位置まで挿入された状態において製氷部ケースと製氷水タンクとを離脱可能に互いに係合して製氷水タンクを所定位置に係止するラッチ機構と、製氷部ケースに設けられ散水器の後端部に当接して同散水器がその設定位置より後方に移動するのを阻止するストッパと、製氷水タンクに設けられ同製氷水タンクがラッチ機構により所定位置に係止された状態において散水器の前端部に当接して同散水器がその設定位置より前方に移動するのを阻止する押さえ部材を備えたものとすることが好ましい。
【００１５】
【発明の実施の形態】
先ず、図１〜図１０に示す第１の実施の形態により、本発明の説明をする。この実施の形態のオープンセルタイプ自動製氷機は、製氷部ケースＡと、その下端部に設けられた製氷水タンク４０と、製氷部ケースＡ内の下部と上部と中間部にそれぞれ設けられた散水器５０、製氷室６０および氷シュート７０により構成されている。
【００１６】
図１〜図３および図６〜図１０により、製氷部ケースＡの説明をする。製氷部ケースＡは全体として箱状で、主として左右１対の側部２０と、その前後縁を連結する前壁３５と後壁３０により構成されている。前壁３５の上下幅は後壁３０よりもかなり小さいので製氷部ケースＡの前側の下半部は解放され、この解放部は後述するように開閉自在なシャッタ３９により閉じられている。
【００１７】
各側部２０は、側壁２１と、その前後縁から互いに平行に外向きに延びる前後のフランジ２３，２２と、側壁２１の上縁から外向きに延びる製氷室ブラケット２４と、側壁２１の下縁から内向きに延びる下フランジ２６ａと、この下フランジ２６ａの多少上方でこれと平行にかつ上下に間をおいて側壁２１から内向きに延びる支持棚板２６ｂおよび突出板２６ｃよりなり、全体が合成樹脂により一体的に成形されている。下フランジ２６ａと支持棚板２６ｂの間にはタンク支持溝２７が形成され、支持棚板２６ｂと突出板２６ｃの間には散水器支持溝２８が形成されている。また側壁２１の下部内面の前後部には、突出板２６ｃの多少上側に円筒状の突起２９が形成され、この突起２９は前側のものの方が後側のものより低く位置している。
【００１８】
後フランジ２２には、後壁３０を挿入するための上下方向に延びる深い取付溝２２ａが内側から形成され、その上下部には挿入した後壁３０を固定するための係合部２５が形成されている。各係合部２５は、図２、図３および図６〜図１０に示すように、後フランジ２２の後面から取付溝２２ａに達する幅の狭い内向きコ字状の切欠き２５ａを切り込み、その間に形成される片持ち板ばね状の作動片２５ｂの先端部に取付溝２２ａ内に突出する断面が三角形状の爪部２５ｃを形成したものである。前フランジ２３の上部には、上下幅が小さいのを除いて後フランジ２２の取付溝２２ａと同様な取付溝２３ａが形成され、この取付溝２３ａの上下部の前面にも同様な係合部２５が形成されている。
【００１９】
後壁３０は長方形の合成樹脂板であり、その両側部には係合部２５と対応する位置に四角い係合孔３１が形成されている。後壁３０の両側縁は左右の各側部２０の後フランジ２２の取付溝２２ａに挿入され、挿入の際にその先端縁が各爪部２５ｃに当接して各作動片２５ｂを後向きに弾性変形させ、取付溝２２ａの奥まで挿入が完了すれば、図３に示すように各爪部２５ｃが係合孔３１に係合して弾性変形していた作動片２５ｂがもとに戻り、後壁３０は抜け止めされて側部２０に固定される。後壁３０の下部前側には、次に述べる散水器５０の後端部に当接する複数のストッパ３２が設けられている。また後壁３０の上縁には、製氷室６０の冷却パイプ６５を通すための切欠き３３が形成されている。
【００２０】
前壁３５は上下幅が狭い点を除き後壁３０と同一構造の合成樹脂板であり、後壁３０と同様、その両側縁は左右の各側部２０の前フランジ２３の取付溝２３ａに挿入され、４ヶ所の係合孔３７を前フランジ２３に形成した係合部２５に係合させることにより抜け止め固定される。前壁３５の下縁に沿って一列に形成された複数のスリット３６には、シャッタ３９上縁の折曲げ部が取り外し可能にかつ揺動自在に引っかけられている。
【００２１】
このように左右の側部２０の後縁部と前縁部を後壁３０と前壁３５により連結することにより、上下面が解放された箱状の製氷部ケースＡが形成される。後述する氷シュート７０を支持する前後のシュート支持部材３８は、この実施の形態では円筒状部材で、各側壁２１の下部内面から突出する突起２９をその両端部に挿入することにより支持されている。
【００２２】
製氷水タンク４０は、図１、図２および図６に示すように、上側が解放された高さの低い箱状で、その両側上部には、外向きに突出する左右１対の細長い突出部４１が前後方向に沿って形成され、この突出部４１の上下幅は前述したタンク支持溝２７の上下幅よりやや小さくなっている。また製氷水タンク４０の底面の前部には、上方に立ち上がる複数の板状の押さえ部材４２が一体的に形成されている。これらの各部分よりなる製氷水タンク４０は、全体が合成樹脂により一体成形されている。この製氷水タンク４０は、左右の突出部４１を左右の側部２０の下端部のタンク支持溝２７に前側から挿入することにより、前後方向に摺動可能に案内支持されている。
【００２３】
図１、図５および図６に示すように、製氷水タンク４０両側の各突出部４１の外側前部にはラッチ機構４５が一体的に形成されている。このラッチ機構４５は、製氷水タンク４０の前面板４３の両端部を後向きに折曲して形成され先端に外向きに折曲した操作部４６ａを有する板状の作動片４６と、その先端よりやや手前に形成した四角い係合孔４７により構成されている。また左右の側部２０の側壁２１には係合孔４７と対応する位置に断面が三角形状の爪部２１ａが形成されている。製氷水タンク４０の両側部２０をタンク支持溝２７に前側から挿入して押し込めば、作動片４６は先ずその先端部が各爪部２１ａに当接して外向きに弾性変形される。前面板４３の裏側が側壁２１の先端に当接して製氷水タンク４０が製氷部ケースＡに対し最も奥となる所定位置まで挿入されば、図５に示すように爪部２１ａが係合孔４７に係合して弾性変形していた作動片４６がもとに戻り、製氷水タンク４０はその所定位置に係止される。この係止状態で作動片４６先端の操作部４６ａに指をかけて外向きに開けば、作動片４６が外向きに弾性変形して係合孔４７が爪部２１ａから外れ、製氷水タンク４０は前向きに摺動して離脱可能となる。
【００２４】
散水器５０は、図１、図２および図６に示すように、縦横方向に配置した各３本の扁平管を互いに連通してなる散水通路５１と、横方向の各扁平管の上側に鉛直に４個ずつ設けた全部で１２個のノズル５２と、縦方向の中間に位置する扁平管の上側に設けた給水口５３よりなり、全体が合成樹脂により一体成形されており、散水通路５１の上下幅は散水器支持溝２８の上下幅よりもやや小さくなっている。この散水器５０は、散水通路５１の左右両側部を製氷部ケースＡの左右の側部２０の下部の散水器支持溝２８に前側から挿入することにより、製氷水タンク４０の上側に前後方向に摺動可能に案内支持されている。散水器５０は、後端部が後壁３０下部のストッパ３２に当接して設定位置に位置決めされ、前端部がラッチ機構４５により所定位置に係止された製氷水タンク４０から上方に立ち上がる押さえ部材４２に当接されて、その位置に係止される。
【００２５】
製氷室６０は、図１、図２、および図６〜図８に示すように、平坦な製氷基板６１の下面に短く切断して３行４列に配置した計１２個の丸いパイプを溶接固着して下向きに開口される製氷セル６２を形成したものであり、各製氷セル６２は散水器５０の各ノズル５２の真上となる位置に配置されている。製氷基板６１および各パイプは、熱伝導性のよい銅またはアルミニウムのような金属製である。製氷基板６１の上側には、各製氷セル６２の中心を通るように冷却パイプ６５が蛇行して密着固定され、この冷却パイプ６５には図１２に示した従来技術と同様な冷凍機からの冷媒が循環供給されるようになっている。この製氷室６０は、製氷基板６１の左右両側部を各側部２０の製氷室ブラケット２４の上面に当接して、ねじ止め固定される。
【００２６】
氷シュート７０は、図１、図２および図７に示すように、縦方向に並んだ多数の細長い短冊状のスライド板７１の下面を横方向の連結板７２により連結した簀の子状のもので、全体が合成樹脂により一体成形されている。氷シュート７０の前部と後部には各１対の支持脚片７４が前後方向に間をおいて下向きに延びており、各１対の支持脚片７４は根本側は互いに平行でその間隔はシュート支持部材３８の外径よりやや大きく、互いに内向きに屈曲された先端部の内幅Ｄ（図１参照）はシュート支持部材３８の外径より小さくなっている。この氷シュート７０は、前後各１対の支持脚片７４がそれぞれに対応する各シュート支持部材３８を跨ぐように押し当てて下方に押し、各１対の支持脚片７４を外向きに弾性変形させてそれらの間にシュート支持部材３８を抱き込む（図１参照）ようにして、製氷部ケースＡに弾性的に係止される。シュート支持部材３８は前側のものの方が後側のものより低く位置しているので、この係止状態では氷シュート７０は前側が低くなるように傾斜されている。なお図７に示した氷シュート７０は、連結板７２を省略し、支持脚片７４の配置を多少異なったものとしている。
【００２７】
製氷運転に際しては、前述した従来技術と同様にして冷凍機を運転させて製氷室６０を冷却し、製氷水タンク４０内の製氷用水をポンプ（図示省略）および給水ホース５４（図２の二点鎖線参照）を介して散水器５０に供給して各ノズル５２から真上に向けて噴出する。噴出された製氷用水は氷シュート７０に形成される多数の開口７３の間を通って冷却された各製氷セル６２の内面に当てられて一部はその内面に氷結され、残りは重力により製氷水タンク４０内に戻され、再びポンプにより散水器５０に供給され繰り返して製氷セル６２の内面に向けて噴出されるので、時間の経過につれて各製氷セル６２内に氷結される氷は次第に多くなる。製氷セル６２内が氷によりほゞ充満されたところで、前述した従来技術と同様にしてホットガスを冷却パイプ６５に導入すれば、製氷室６０は加熱されて各製氷セル６２とその内部に生成された氷との境界部が融解するので、各製氷セル６２内の氷は円柱状ブロックとなって氷シュート７０上に落下し、シャッタ３９に向かって斜め下方に滑り落ちる。そして重力により垂れ下がって閉じられているシャッタ３９を押し開いて製氷部ケースＡ内から貯氷庫（図示省略）に送り出される。
【００２８】
所定位置に取り付けられている製氷水タンク４０の取り外しは、前部両側のラッチ機構４５の作動片４６先端の操作部４６ａに指をかけて外向きに開き、係合孔４７を爪部２１ａから離脱させ、タンク支持溝２７に案内支持された製氷水タンク４０を所定位置から前向きに摺動して引き抜けばよい。またこれと同時に、散水器５０を設定位置に位置決めしている押さえ部材４２も取り外されるので、散水器支持溝２８に案内支持された散水器５０も設定位置から前向きに摺動し引き抜くことができる。
【００２９】
製氷水タンク４０および散水器５０の取り付けは、散水器５０を前側から散水器支持溝２８内に挿入してから、製氷水タンク４０を前側からタンク支持溝２７内に挿入し最も奥となる所定位置としてラッチ機構４５により係止すれば、散水器５０もストッパ３２と押さえ部材４２の間に挟まれて、設定位置に位置決めされる。このように製氷水タンク４０および散水器５０をそれぞれの位置に取り付けまた取り外すことはきわめて簡単なので、常に製氷水タンク４０および散水器５０を洗浄して衛生的に保ち、また散水器５０のノズル５２のつまりを防ぐことができる。この実施の形態では、前述のように、製氷水タンク４０の突出部４１の上下幅はタンク支持溝２７の上下幅よりやや小さく、また製氷水タンク４０の散水通路５１の上下幅は散水器支持溝２８の上下幅よりもやや小さい程度であるので、この取付状態で製氷水タンク４０および散水器５０が定位置から浮き上がることは防止される。
【００３０】
また、氷シュート７０は、前部を上向きに押し上げることにより前部の１対の支持脚片７４を外向きに弾性変形させて前側のシュート支持部材３８から上方に離脱し、同様にして後部の１対の支持脚片７４を後側のシュート支持部材３８から上方に離脱して製氷部ケースＡから取り外す。また製氷部ケースＡに対する氷シュート７０の取り付けは、前後各１対の支持脚片７４がそれぞれに対応する各シュート支持部材３８を跨ぐように押し当てて下方に押し、各１対の支持脚片７４を外向きに弾性変形させてそれらの間にシュート支持部材３８を抱き込む（図１参照）ように製氷部ケースＡに弾性的に係止することにより行う。このように氷シュート７０の取り付けおよび取り外しはきわめて簡単なので、常に氷シュート７０を洗浄して衛生的に保つことができる。
【００３１】
なお、この種のオープンセルタイプ自動製氷機では同一シリーズのものでも製氷能力の小さい機種と大きい機種では、製氷部ケース、製氷水タンク、散水器，製氷室，氷シュートなどを全て大きさが異なるものを用意する必要がある。特に製氷部ケースは複雑な型成形品であるので、機種毎に成形型を用意することはコストアップの要因となっていた。しかし上記実施の形態では、製氷部ケースＡを左右１対の側部２０と前壁３５と後壁３０とシュート支持部材３８の各部分に分割し、これらを組み立てて箱状の製氷部ケースＡとしているので、最も複雑な左右の側部２０は共通標準部品とし、前壁３５と後壁３０とシュート支持部材３８の長さを変えて製氷部ケースＡの横幅を増減することにより製氷能力の異なる機種の製氷部ケースＡを用意することができる。
【００３２】
したがって上述した実施の形態によれば、同一シリーズのオープンセルタイプ自動製氷機の製造コスト全体の相当な部分を占める製氷部ケースＡの製造コストをシリーズ全体として低下させることができる。図１０は、前壁３５と後壁３０とシュート支持部材３８の長さを約２倍とし、製氷セル６２を３行８列に配置した２４個として製氷能力を２倍とした例を示している。なお図８および図１０に示した製氷部ケースＡでは、側部２０下部の下フランジ２６ａ、支持棚板２６ｂ、突出板２６ｃおよびこれらにより形成されるタンク支持溝２７、散水器支持溝２８の記載を省略した。また各側部２０に対する後壁３０および前壁３５の固定は、係合部２５の代わりに接着により行うようにしてもよい。
【００３３】
上述した第１の実施の形態では、散水器５０と製氷水タンク４０は、左右の側部２０の下部に前後方向に沿って互いに内向きに形成した上下２段の散水器支持溝２８およびタンク支持溝２７により前後方向摺動可能に案内支持している。しかし本発明は、図１１に示す第２の実施の形態に示すように突出板２６ｃを省略し、左右の側部２０の下部に前後方向に沿って互いに内向きに形成した上下２段の支持棚板２６ｂと下フランジ２６ａ上に、散水器５０と製氷水タンク４０をそれぞれ前後方向摺動可能に案内支持させるようにして実施してもよい。この場合、特に上側となる散水器５０はその定位置から浮き上がることを防止することはできないが、散水器５０は重力により支持棚板２６ｂ上に載置されているので、定位置から浮き上がって問題が生じるおそれは殆どない。
【００３４】
上述した各実施の形態では、製氷室６０の製氷セル６２の形状は丸としたが、四角、六角など任意である。また各製氷セル６２は、上述した実施の形態のように独立して互いに離れたものとする代わりに、浅い容器を碁盤目の仕切により仕切って形成してもよい。
【００３５】
また上述した各実施の形態では、シュート支持部材３８に対する氷シュート７０の係止は前後各１対すなわち計４個の支持脚片７４により行っており、このようにすれば前後部分がそれぞれ別々にシュート支持部材３８に係止されるので、製氷部ケースＡに対する氷シュート７０の取り付けはより確実になる。しかしながら本発明は、４個の支持脚片７４のうち内側に位置するもの、または外側に位置するものを除いた２個により行ってもよい。前者の場合は２個の支持脚片７４は前後のシュート支持部材３８の各外側に弾性的に係合して氷シュート７０を係止し、後者の場合は２個の支持脚片７４は前後のシュート支持部材３８の各内側に弾性的に係合して氷シュート７０を係止される。またシュート支持部材３８は、上述したような円筒状部材に限らず、丸棒状部材としても、あるいは任意の断面形状の棒状部材としてもよい。しかしながらシュート支持部材３８は、断面輪郭形状が円形や多角形など内隅角のない形状のものが、洗浄しやすいので好ましい。
【００３６】
【発明の効果】
製氷水タンクの両側部を、製氷部ケースの左右１対の側部に前後方向に沿って内向きに延びる下フランジとその多少上方でそれと平行に延びる支持棚板よりなる１対の細長いタンク支持溝内に挿入離脱可能に案内支持させた本発明によれば、製氷水タンクを簡単に取り付け取り外すことができるので製氷水タンクを洗浄することが容易であり、これにより製氷水タンクを常に衛生的に保つことができ、また製氷水タンクの案内支持構造が簡略化されるのに加え、製氷水タンクが使用中に定位置から浮き上がることを防止することができる。
【００３９】
請求項１の発明において、製氷水タンクが製氷部ケースに対し所定位置まで挿入された状態において、製氷部ケースと製氷水タンクとを離脱可能に互いに係合して製氷水タンクを所定位置に係止するラッチ機構を備えたものによれば、取付状態では製氷水タンクを所定位置に確実に位置決めし、ラッチ機構を離脱することにより製氷水タンクを簡単に取り外すことができる。
【００４０】
また散水器を製氷部ケースの側部に挿入離脱可能に案内支持させた本発明によれば、散水器を簡単に取り付け取り外すことができるので、散水器を洗浄することが容易であり、これにより散水器を常に衛生的に保ち、またノズルのつまりをなくすことができる。
【００４１】
前項の発明において、散水器の両側部を製氷部ケースの各側部に前後方向に沿って互いに内向きに形成した１対の細長い支持棚板上に摺動可能に案内支持させたものによれば、散水器の案内支持構造が簡略化される。
【００４２】
前々項の発明において、散水器の両側部を製氷部ケースの各側部に前後方向に沿って互いに内向きに形成した１対の細長い散水器支持溝内に摺動可能に案内支持させたものによれば、散水器の案内支持構造が簡略化されるのに加え、散水器が使用中に定位置から浮き上がることを防止することができる。
【００４３】
前３項の発明において、製氷水タンクが製氷部ケースに対し所定位置まで挿入された状態において製氷部ケースと製氷水タンクとを離脱可能に互いに係合して製氷水タンクを所定位置に係止するラッチ機構を設け、製氷部ケースには散水器がその設定位置より後方に移動するのを阻止するストッパを設け、製氷水タンクには同製氷水タンクがラッチ機構により所定位置に係止された状態において散水器の前端部に当接して同散水器がその設定位置より前方に移動するのを阻止する押さえ部材を設けたものによれば、製氷水タンクを取り付けた状態では散水器を設定位置に確実に位置決めし、製氷水タンクを取り外せば散水器も簡単に取り外すことができる。
【図面の簡単な説明】
【図１】  本発明によるオープンセルタイプ自動製氷機の第１の実施形態を示す側断面図である。
【図２】  図１の２−２断面図である。
【図３】  図２の３−３断面図である。
【図４】  図１の４−４断面図である。
【図５】  図１の５−５断面図である。
【図６】  図１に示す実施形態の氷シュートを取り除いた状態における分解斜視図である。
【図７】  図１に示す実施形態の製氷水タンクおよび散水器を取り除いた状態における分解斜視図である。
【図８】  図１に示す実施形態の製氷部ケースおよび製氷室の分解斜視図である。
【図９】  図１に示す実施形態の係合部付近の構造を示す分解斜視図である。
【図１０】  横幅を大きくしたした状態における図８と同様な分解斜視図である。
【図１１】  本発明によるオープンセルタイプ自動製氷機の第２の実施形態を示す図６と同様な分解斜視図である。
【図１２】  従来技術によるオープンセルタイプ自動製氷機の一例を示す側断面図および冷凍機部のスケルトン図である。
【図１３】  図１２に示す従来技術の分解斜視図である。
【符号の説明】
２０…側部、２６ａ…下フランジ、２６ｂ…支持棚板、２７…タンク支持溝、２８…散水器支持溝、３０…後壁、３２…ストッパ、３５…前壁、４０…製氷水タンク、４２…押さえ部材、４５…ラッチ機構、５０…散水器、５２…ノズル、６０…製氷室、６２…製氷セル、６５…冷却パイプ、Ａ…製氷部ケース。
【図１】
0003667593.tif 000002
【図２】
0003667593.tif 000003
【図３】
0003667593.tif 000004
【図４】
0003667593.tif 000005
【図５】
0003667593.tif 000006
【図６】
0003667593.tif 000007
【図７】
0003667593.tif 000008
【図８】
0003667593.tif 000009
【図９】
0003667593.tif 000010
【図１０】
0003667593.tif 000011
【図１１】
0003667593.tif 000012
【図１２】
0003667593.tif 000013
【図１３】
0003667593.tif 000014